(57)【要約】  ベルト（１）には、バックル（２）及びストラップ（４）が設けられており、内側の領域（２ａ）及び外側の領域（２ｂ）を定めており、2個の実質的に平行な側部の棒（２１）と側部の棒（２１）に実質的に平行な内側の棒（３）とを有している中空の支持部（２０）を有しているバックル（２）であって、側部の棒（２１）は、内側の領域（２ａ）に向けて突き出しており、凸状の湾曲している表面を定めている当接表面（２２）を有しており、内側の棒（３）は、外側の領域（２ｂ）に向けて突き出しており、頭部（３１）と中心の軸線（３２ａ）を定めている柄（３２）とを有している非可動の歯（３０）を有しており、頭部（３１）は、歯（３０）の自由な端部上に配置されており、中心の軸線（３２ａ）に垂直な平面内で柄（３２）よりも大きく、ストラップ（４）は第１及び第２の端部（４０、４１）を定めており、第１の端部（４０）は、バックル（２）に固定されており、第２の端部は、少なくとも１個の非貫通穴（４１ａ）を有しており、歯（３０）は、ストラップ（４）が輪に閉じられたときに頭部（３１）によって非貫通穴（４１ａ）に係合するのに適している。【選択図】  図１
2020518348.tif 000002
【特許請求の範囲】
【請求項１】
内側の領域（２ａ）及び外側の領域（２ｂ）を定めており、中空の支持部（２０）を有しているバックル（２）であって、
前記支持部（２０）は、2個の実質的に平行な側部の棒（２１）と前記側部の棒（２１）に実質的に平行な内側の棒（３）とを有しており、
前記側部の棒（２１）は、前記内側の領域（２ａ）に向けて突き出している当接表面（２２）を有しており、
前記内側の棒（３）は、前記外側の領域（２ｂ）に向けて突き出している固定されている歯（３０）を有しており、
前記当接表面（２２）は、凸状の湾曲している表面を定めており、
前記歯（３０）は、頭部（３１）と中間の軸線（３２ａ）を定めている柄（３２）とを有しており、
前記頭部（３１）は、前記歯（３０）の自由な端部上に配置されており、前記中間の軸線（３２ａ）に垂直な平面内で前記柄（３２）よりも大きい、ことを特徴とする、
バックル（２）。
【請求項２】
前記内側の棒（３）は、前記側部の棒（２１）から同じ距離にある、請求項１に記載のバックル（２）。 
【請求項３】
前記柄（３２）は、円柱状であって、前記頭部（３１）は、実質的に円盤の形状であって、前記頭部（３１）は、前記柄（３２）の基部の直径よりも、パーセントで前記柄（３２）の前記基部の直径の３０％と５０％との間の範囲の、長い直径を有している、請求項１または２に記載のバックル（２）。 
【請求項４】
前記支持部（２０）は、２個の平行で対向している辺が前記側部の棒（２１）を有している実質的に長方形の枠である、請求項１から３のいずれか１項に記載のバックル（２）。 
【請求項５】
前記支持部（２０）は、凹部を定めており、前記当接表面（２２）は、前記当接表面（２２）が前記凹部から離れるにつれて、前記内側の領域（２ａ）向けて移動している、請求項１から４のいずれか１項に記載のバックル（２）。 
【請求項６】
請求項１から５のいずれか１項に記載のバックル（２）と、 
第１及び第２の端部（４０、４１）を定めているストラップ（４）と、 
を有し、 
前記第１の端部（４０）は、前記バックル（２）に固定されており、前記第２の端部は、少なくとも１個の非貫通穴（４１ａ）を有しており、前記歯（３０）は、前記ストラップ（４）が輪に閉じられたときに前記頭部（３１）によって前記非貫通穴（４１ａ）に係合するのに適している、
ベルト（１）。 
【請求項７】
第１及び第２の端部（４０、４１）を定めているストラップ（４）であって、
前記第１の端部（４０）は、バックル（２）に固定されており、
前記バックル（２）は、頭部（３１）と、中間の軸線（３２ａ）を定めている柄（３２）とを有している少なくとも１個の歯（３０）を有しており、
前記頭部（３１）は、前記歯（３０）の自由な端部上に配置されており、前記中間の軸線（３２ａ）に垂直な平面内で前記柄（３２）よりも大きく、
前記第２の端部（４１）は、少なくとも１個の非貫通穴（４１ａ）を有しており、
前記歯（３０）は、前記ストラップ（４）が輪に閉じられたときに前記頭部（３１）によって前記非貫通穴（４１ａ）に係合するのに適している、
ことを特徴とする、ストラップ（４）。
【請求項８】
３ｍｍと５ｍｍとの間の寸法を各々が有している第１の層（４２）と、第２の層（４３）とを有し、２個の層（４２、４３）の少なくとも１個が牛革を有している、請求項９に記載のストラップ（４）。 
【請求項９】
前記第１の端部（４０）は、前記バックル（２）の前記歯（３０）に係合するのに適している貫通穴（４０ａ）を有しおり、前記貫通穴（４０ａ）と前記歯（３０）との間の結合は、取り外し可能な確実な接続を定めている、請求項７または８に記載のストラップ（４）。 
【請求項１０】
前記非貫通穴（４１ａ）は、前記歯（３０）に対して、相補形状である、請求項７から９のいずれか１項に記載のストラップ（４）。 
【発明の詳細な説明】
【技術分野】
【０００１】
本発明は、請求項１の前提部に記載されている種類のベルト用のバックルに関する。
【背景技術】
【０００２】
既知のように、ベルトはだれもの日常生活で非常に一般的である。一般的に、衣類のそのような品目は、その内部にある体を締め付ける機能を有しており、そのため、選択されたウエストの高さでドレスを締め付けたりやズボンを保持するのに一般に使用されたり、純粋に美的な機能を有していたりすることもある。
【０００３】
現在市販されている様々な種類のベルトが存在し、それらは、存在しているバックルの形式が主に異なっている。
【０００４】
既知のバックルの中には、伝統的な、つまりピンのバックルが存在し、それらは掛け金、小さい球状のピン、及びクイックリリースを備えている。
【０００５】
伝統的なバックルは、少なくとも一部がベルトによって形成されている輪の内側に、挟まれている、糊付けされている、または縫い付けられている、開いている４角形の構造を有している。４角形の枠の内側には歯があり、ピンとしてよりよく知られており、バックルに係合している端部とは反対側の端部のベルトに存在している穴の内側に捉えられるのに適している。
【０００６】
掛け金構造は、その代わりに、スナップまたはレバー効果でバックルの前の部分を閉じることによって制限可能な可変な断面の部分の内側でベルトの自由な端部を捉えることを可能にしている。
【０００７】
代わりに、小さい球状のピン構造は、端部に小さい球が存在している固定されているまたは移動可能なピンから典型的に構成されており；この球は、「ボタン」のようにベルトの自由な端部の穴との係合に適している。
【０００８】
最後に、クイックリリース構造は、ベルトではより一般的ではなく、バックパック、パウチ、または他の旅行アクセサリなどの物体により使用される。
【０００９】
クイックリリース構造は、可逆な弾性変形で係合する一般的にポリマーの２個の部分、またはベルトの自由な端部が係合するダブル係合スロットによって特徴づけられる。
【先行技術文献】
【特許文献】
【００１０】
【特許文献１】米国特許第２８８４６７５号明細書
【特許文献２】仏国特許発明第２５３７８５１号明細書
【発明の概要】
【発明が解決しようとする課題】
【００１１】
説明した従来技術には、いくつかの際立った欠点がある。
【００１２】
特に、標準的なベルトは、摩耗が大きいがそれは、ベルトの自由な端部に完全に係合する中心のピンがベルトを変形させ、時間が経つにつれて材料を変形させたり裂いたりする。
【００１３】
また、中心にヒンジ接続されており、また柔軟なポリマー部品である中心ピンも摩耗する。時間が経つにつれて、ベルト材料がさらに摩耗すると、中心から離れるように動きがちになることがある。
【００１４】
前述のベルトの他の欠点の局面は、ベルトのバックルとの係合の方法である。特に、バックルによって生成された４辺形つまり枠の少なくとも１個の辺に係合するようにベルトの一方の端部に輪が一般に作られている。
【００１５】
この輪は、ベルトを折り曲げて、その後、２個の端部を輪を形成するように釘付けする、糊付けする、または縫製することによって作られている。その代わりに、ベルトをたとえば前述の１個または２個以上の方法で直接バックルに取り付けてもよい。
【００１６】
これらの種類の拘束は、長い間にベルトの密封に問題を引き起こし、容易に劣化することがある。
【００１７】
最後に、技術の現状の他の欠点は、既知の構造が、特に摩耗した場合に美的には効果的ではないことである。
【００１８】
また、古典的に設計されているベルトは、色やベルトを構成しているストラップの種類を容易に変えることができない。
【００１９】
これらの欠点のいくつかは、特許文献１及び特許文献２によって解決されているが、それらのほとんどは、解決されていないか、部分的に解決されたままである。
【００２０】
この状況において、本発明の技術的目的は、前述の欠点の少なくともいくつかを実質的に克服できるベルトを考案することである。
【００２１】
技術的目的の範囲において、本発明の１個の重要な目的は、バックル及びバックル内に係合するベルトまたは穿孔されたベルトの両方を作る部品の摩耗を限定するベルトを得ることである。
【００２２】
本発明の他の重要な目的は、バックル及びベルトが互いに容易に機能的に係合するベルトを作ることである。
【００２３】
最後に、本発明のさらなる目的は、美的局面を最大にすることが可能で、構造を構成しているストラップを容易に変えることが可能なベルトを作ることである。
【課題を解決するための手段】
【００２４】
技術的目的及び具体的に示した目標は、添付の請求項１で請求されるベルトによって達成される。好ましい実施形態の例が、従属請求項に記載されている。
【００２５】
好ましい実施形態が、従属請求項に記載されている。
【００２６】
本発明の特徴及び利点が、添付の図面を参照したその好ましい実施形態の以下の詳細な説明からはっきりと明確になる。
【図面の簡単な説明】
【００２７】
【図１】図１は本発明のベルトを示している。
【図２】図２は、ベルトの側面図を示している。
【図３ａ】図３ａは、ストラップの第２の端部の断面の側面図である。
【図３ｂ】図３ｂは、ストラップの端部を示している。
【図４】図４は、バックルの断面の側面図を示している。
【図５】図５は、上方から見たバックルを示している。
【図６】図６は、内側の棒のピンを詳細に示している。
【発明を実施するための形態】
【００２８】
ここで、「約」または「実質的に」などの他の同様な語と共に使用された場合、計測値、値、形状、及び幾何学的基準（垂直及び平行など）には、作成及び／または製造誤差による計測誤差または不正確さ及びとりわけ値、計測値、形状、または関連している幾何学的基準からのわずかな逸脱がないと理解されるべきである。たとえば、値に関連している場合、これらの語は、その値の１０％を超えない逸脱を示していることが好ましい。
【００２９】
また、「第１の」、「第２の」、「上側の」、「下側の」、「主な」、及び「２次の」などの使用されている用語は、順番、優先順位の関係、または相対的な位置を必ずしも指すわけではなく、異なる部品を互いに比較的明確に区別するのに単に使用し得る。
【００３０】
本明細書で示している計測値及びデータは、特に断りにない限り、国際標準大気ＩＣＡＯ（ＩＳＯ２５３３）において行われているとみなすべきである。
【００３１】
図面を参照して、参照番号１は、本発明のベルトの全体を指している。
【００３２】
ベルト１は、バックル２及びストラップ４を有している。
【００３３】
バックル２は、通常は、内側の領域２ａ及び外側の領域２ｂを定めている。
【００３４】
内側の領域２ａは、たとえばベルトを装着している使用者のウエストなどの体の表面に接触するのに適している領域によって実質的に定められている。
【００３５】
そのため、外側の領域２ｂは、内側の領域２ａの反対側の領域によって定められており、たとえば、使用者の視界に入る領域である。
【００３６】
また、バックル２は、支持部２０を有している。
【００３７】
支持部２０は、たとえば、外側の枠及び内側貫通凹部によって定められている中空の枠である。また、支持部２０、丸い、正方形の、またはその他の形状を有し得る。
【００３８】
支持部２０は、２個の側部の棒２１及び内側の棒３を有していることが好ましい。
【００３９】
側部の棒２１は、たとえば、枠の一部であって、実質的に互いに平行であることが好ましい。内側の棒３も側部の棒２１に実質的に平行であることが好ましい。
【００４０】
特に、内側の棒３は、少なくとも部分的に支持部２０の凹部を占めており、たとえば外側の枠で定められている凹部を２個のより小さい別個の凹部に再分割している。
【００４１】
支持部２０は、２個の平行で対向している辺が側部の棒２１を有している実質的に長方形で４辺形の枠であることが好ましい。
【００４２】
棒２１、３は、円柱状の形状または基部がたとえば長方形または正方形の実質的に平行６面体の形状でもあり得る。
【００４３】
また、側部の棒２１及び内側の棒３は、ストラップ４の少なくとも一部をそれらの表面上に収容するのに適していることが好ましい。
【００４４】
特に、側部の棒２１は、ストラップ４にそれらの下側の表面で接触するのに適している。下側の表面という語は、内側の領域２ａに向いている表面を意味すると理解される。
【００４５】
逆に、内側の棒３は、ストラップ４に少なくともその上側の表面の一部で接触するのに適しており、上側の表面という語は、外側の領域２ｂに面している表面を意味している。
【００４６】
側部の棒は、内側の領域２ａに向けて突き出している当接表面２２を有していることが好ましい。
【００４７】
詳細には、当接表面２２は、内側の領域２ａに向けて突き出しており、凸状の湾曲している表面を定めていることが好ましい。特に、当接表面２２は、内側の表面２ａに近づいている、つまり、支持部２０によって定められている凹部から離れるにつれて厚くなっている。
【００４８】
内側の棒３は、前述のように、支持部２０によって定められている凹部の内側に配置されていることが好ましい。
【００４９】
特に、内側の棒３は、支持部２０の少なくとも一方の端部に沿って接続されている。内側の棒３も側部の棒２１から等距離にあることが好ましい。したがって、内側の棒３は、実質的に中央の領域を占めており、たとえば凹部を２個の同等の形状及び広がりのより小さい凹部に分割している。
【００５０】
また、内側の棒３は、歯３０を有している。
【００５１】
歯３０は、たとえば頭部３１及び柄３２を有している。
【００５２】
特に柄３２は、内側の棒の外側の領域２ｂに向いている表面に接続されていることが好ましい。さらに、柄３２が外側の領域２ｂに向けて直線状に実質的に突き出しており、中央の軸線３２ａを定めていることが好ましい。
【００５３】
柄３２は、円錐または正方形の平行六面体の形状を有し得るが、柄３２は、その軸線が中央の軸線３２ａに一致している円柱であることが好ましい。
【００５４】
頭部３１は、歯３０の自由な端部の位置に配置されていることが好ましい。さらに、頭部３１は、中央の軸線３２ａに垂直な平面内の断面が柄３２よりも実質的に大きい。
【００５５】
特に、頭部３１は実質的に円盤の形状であって、そのため、柄３２の基部の直径よりも長い直径を有していることが好ましい。
【００５６】
より詳細には、頭の直径は、たとえば、３０％から５０％のパーセントだけ柄３２の大きさよりも大きい。
【００５７】
好ましい構成において、柄３２は、約２ｍｍの直径及び４．５ｍｍに等しい高さを有している。また、頭部３１は、３ｍｍの直径及び０．５ｍｍに等しい高さを有している。
【００５８】
頭部３１と柄３２との間に、接続部も設け得る。その代わりに、頭部３１は、柄３２に向けて収縮する円錐台の形状を有し得る。
【００５９】
歯３０は、別個の空間内でも内側の棒３上に配置され得るが、歯３０は、内側の棒及び支持部２０全体の両方に対する中心の位置に配置されることが好ましい。
【００６０】
好ましい構成において、支持部２０は、３０〜４０ｍｍと６５〜７５ｍｍとの間である。
【００６１】
また、上方からの図（図５）において、内側の棒３が４〜６ｍｍの幅を有しているのに対して、側部の棒２１は、８〜１０ｍｍの幅を有していることが好ましい。
【００６２】
また、支持部２０は、側面図（図２）においてわかるように、５〜１０ｍｍの厚さを有していることが好ましい。したがって、支持部２０は、所望のように、厚さ方向に沿って直線状または湾曲状であり得る。
【００６３】
支持部２０は、３°と７°との間の湾曲の角度を有することが好ましい。
【００６４】
その代わりに、ストラップ４は、第１の端部４０及び第２の端部４１を有している。
【００６５】
第１の端部４０は、特にバックル２に接続されている。
【００６６】
拘束は、解除可能か永久的であり得る。たとえば、第１の端部４０は、バックル２に糊付けによって接続し得る。その代わりに、バックル２は、既知の種類の追加の側部の棒を有し得、ストラップ４は、既知の種類の輪を形成している棒に係合し得る。たとえば、ストラップ４の部分は、第１の端部４０において、巻き上げ得、係合輪を形成する縁は、縫製、糊付け、またはねじあるいは釘によって接続し得る。
【００６７】
第１の端部４０は、貫通穴４０ａを有していることが好ましい。そのような貫通穴４０ａは、バックル２の歯３０に係合して、取り外し可能な拘束を定める結合を形成するのに適している。
【００６８】
したがって、たとえば、貫通穴４０ａは、歯３０に適合している寸法を有している。
【００６９】
第２の端部４１は、少なくとも１個の非貫通穴４１ａを有していることが好ましい。非貫通穴４１ａは、特に、歯３０と係合するのに適している。
【００７０】
より詳細には、歯３０は、ストラップ４が例えば使用時に輪に閉じされたときに非貫通穴４１ａ及び頭部３１によって係合するのに適している。
【００７１】
そのため、非貫通穴４１ａは、歯３０に対して実質的に相補形状であることが好ましい。
【００７２】
最後に、ベルト４は、その厚さを構成している第１の層４２及び第２の層４３を有していることが好ましい。
【００７３】
両方の層４２、４３は、大きさが３〜５ｍｍの間であって、２個の層４２、４３の少なくとも一方が牛革を有している。２個の層は、縁に沿って互いに縫い付けられている。
【００７４】
残りの層は、現在の技術で知られている種類から選択された種類の革を有していることが好ましい。
【００７５】
非貫通穴４１ａは、２個の部分で作られ得ることが有利であって、第１の層４２内の第１の部分４１ｂは、直径が一定の円柱状であって、柄３２に対して適切な相補形状であることが好ましく、第２の層４３内の第２の部分４１ｃも、円柱状であって第１の部分４１ｂよりも直径が長く、頭部３１に対して適切な相補形状であることが好ましい。
【００７６】
その代わりに、柄３２に対して相補形状の第１の部分４１ｂだけが存在する。この変形例において、頭部３１は、縁の縫い目から離れているので相互に分離可能な２個の層４２及び４３の間に空間を見つけることができる。
【００７７】
前述のベルト１の構造的な機能は、以下のとおりである。
【００７８】
使用者は、自分の望むようにベルトを構成することができる。
【００７９】
前述のようにストラップ４がいったん選択されると、歯３０に貫通穴４０ａによって係合させることができる。
【００８０】
その後、ストラップ４が使用者による使用の準備のためにいったん閉じられ、側部の棒２１によって定められている当接表面２２の下方に部分的に位置し、内側の棒３に含まれている歯３０の上方に部分的に位置するように、第２の端部を部分的に支持部２０によって定められている凹部の内側を通過させ得る。
【００８１】
非貫通穴４１ａの１個を歯３０に係合させた後、ベルト１は接続され機能する。
【００８２】
本発明のベルト１は、重要な利点を達成する。 
【００８３】
実際に、ベルトは、バックル及びバックル内に係合しているストラップの両方を作る部品の摩耗を限定する。第１の端部とバックルとの間の結合の種類だけでなる、回転ピンなどの要素がないことによって、ベルトの構造が簡単になり、従来のベルトに典型的な摩耗が発生しにくくなる。
【００８４】
さらに、摩耗がたとえ存在しても、固定されているピンベルト及び移動可能なピンベルトの両方に存在し従来のベルトの表皮または革の明確な座屈の原因となる典型的な変形の視認できる兆候がベルト１上にはない。
【００８５】
ベルト１のさらなる利点は、バックル及びベルトが互いに容易に接続可能なことである。この接続の種類によって、別個の部品から開始して非常に素早く、しかしともかくも機能的な態様でベルトを作ることが可能になる。
【００８６】
この特徴によって、ベルト１を構成しているストラップ４の種類の変更を容易にすることもできる。たとえば、歯３０を穴４０ａ、４１ａから取り外すことだけが必要で、ベルト１の各接続を容易に元に戻すことが容易なので、様々な色のストラップ４の使用が容易になり得る。
【００８７】
結論として、本発明のさらなる利点は、ストラップ４を変更できること及び減少した摩耗によって、ベルト１の美的局面を最大にし、強化し、その結果、ベルト１は現状技術の従来のベルトよりも寿命が延びる。
【００８８】
特許請求の範囲で定めた本発明の概念の範疇を逸脱することなく、本明細書で説明した発明に対して変形を成し得る。
【００８９】
たとえば、バックルは、たとえば、装飾または他の目的で靴などのベルト以外の品目に使用し得るので、バックルの標準的な大きさは異なり得る。
【００９０】
前述の範疇において、詳細は、同等の要素に置き換え得るし、材料、形状、及び寸法は所望のようにし得る。
【図１】
2020518348.tif 000003
【図２】
2020518348.tif 000004
【図３ａ】
2020518348.tif 000005
【図３ｂ】
2020518348.tif 000006
【図４】
2020518348.tif 000007
【図５】
2020518348.tif 000008
【図６】
2020518348.tif 000009
【国際調査報告】
2020518348.tif 000010
2020518348.tif 000011